(57)【要約】【課題】  移動通信端末に対して着信が不可となることを防止する。【解決手段】  移動通信端末１０は、自端末がセル移行することを検出するセル移行検出部１２ａと、セル移行が検出されたときに、移行先のセルの報知情報のうち、当該セルのＣＮドメイン情報を含む、セルのグループ単位に共通な報知情報構成データであるＳＩＢ１を受信する報知情報受信部１２ｂと、受信されたＳＩＢ１に含まれるＣＮドメイン情報に基づいて、移行先のセルにおいて位置登録を行うか判断する位置登録制御部１２ｃと、を備える。【選択図】  図１
2008259057.tif 000002
【特許請求の範囲】
【請求項１】
自端末がセル移行することを検出するセル移行検出手段と、
前記セル移行検出手段によりセル移行が検出されたときに、移行先のセルの報知情報のうち、当該セルの位置登録エリアを示す情報を含む、セルのグループ単位に共通な報知情報を受信する報知情報受信手段と、
前記報知情報受信手段により受信された前記報知情報に含まれる位置登録エリアを示す情報に基づいて、前記移行先のセルにおいて位置登録を行うか判断する位置登録制御手段と、
を備える移動通信端末。
【請求項２】
前記報知情報受信手段により受信された報知情報を、当該報知情報が受信されたセルを特定するセル特定情報に対応付けて、前記移行先のセルにおいて位置登録及び通信の少なくとも何れかを行うために利用される情報として記憶する記憶手段を更に備え、
前記報知情報受信手段は、前記移行先のセルを特定するセル特定情報を取得して、取得したセル特定情報が前記記憶手段により記憶された情報に含まれない場合に移行先のセルの報知情報を受信する、
ことを特徴とする請求項１に記載の移動通信端末。
【請求項３】
移動通信端末における端末制御方法であって、
自端末がセル移行することを検出するセル移行検出ステップと、
前記セル移行検出ステップにおいてセル移行が検出されたときに、移行先のセルの報知情報のうち、当該セルの位置登録エリアを示す情報を含む、セルのグループ単位に共通な報知情報を受信する報知情報受信ステップと、
前記報知情報受信ステップにおいて受信された前記報知情報に含まれる位置登録エリアを示す情報に基づいて、前記移行先のセルにおいて位置登録を行うか判断する位置登録制御ステップと、
を含む端末制御方法。
【発明の詳細な説明】
【技術分野】
【０００１】
本発明は、移動通信端末、及び当該移動通信端末における端末制御方法に関する。
【背景技術】
【０００２】
携帯電話機を始めとする移動通信端末は、一つの基地局から電波の届く範囲（以下、「セル」と記す）の間を移動する際に、移動先の基地局から報知情報を受信する。報知情報は移行先の候補となるセルに関する情報である。
【０００３】
移動体通信網では、セルのグループ単位及びセル単位に共通な情報を報知情報として管理し、移動通信端末に一定間隔で通知している。ここでセルのグループとは、移動体通信網における管理上設定されたセルの集合である。また、セル毎の報知情報の変更内容は、報知情報が変更されたか否かを判別可能な情報（例えば、Ｗ−ＣＤＭＡ（Wideband Code Division Multiple Access）システムではvalue-tag）で管理している。
【０００４】
Ｗ−ＣＤＭＡシステムでは、報知情報は、１つのＭＩＢ（Master Information Block）及び複数のＳＩＢ（System Information Block）という情報から構成されている。ここで、ＭＩＢはＳＩＢの構成及び報知情報の変更を判断する情報であり、ＳＩＢ１はセルのグループ単位の共通情報であり、ＳＩＢ２〜１６はセル単位の共通情報である。ＭＩＢは、ＳＩＢ１のデータ内容が変更されたか否かを判別するための情報であるPLMN value-tag、及びＳＩＢ２〜１６のデータ内容が変更されたか否かを判別するための情報であるCell value-tagを含む。
【０００５】
移動通信端末は、移行先候補のセルにおいて受信した報知情報に基づいて、移行先のセルを選定し、セルの移行を行う。在圏しているセルと移行先候補のセルとが異なるかの判断は、セル特定情報を比較することで行い、ひとつでも異なる情報がある場合はセルが異なっていると判断される。Ｗ−ＣＤＭＡシステムでは、セル特定情報として例えば、スクランブリングコード、ＦＩＤ（Frequency Identifier：周波数を示す識別子）、及びCell IDを使用している。Cell IDは、報知情報が送信されるセルを識別する為に各セルに割り当てられたデータであり、ＳＩＢ３に含まれている情報のため、該当報知情報を受信した上で、セルが同一かの判断を行う必要がある。
【０００６】
移行先の候補のセルにおいて受信した報知情報に含まれるvalue-tagの値が移行元のセルにおける値から変わっている場合は、該当するvalue-tagに対応するセルのグループ単位及びセル単位の共通情報が変わっていることになるため、移動通信端末は、該当する報知情報を取得する必要がある。
【０００７】
また、移動通信端末において取得したセルのグループ単位及びセル単位の共通情報である報知情報は、当該セルのセル特定情報と対応付けられて格納される。既に報知情報を受信し格納しているセルを行き来する場合には、格納している報知情報を再使用するため、報知情報の新たな取得が不要となる。これらの処理に関する技術は、例えば、特許文献１及び２に開示されている。
【特許文献１】特開２００３−１５３３２４号公報
【特許文献２】特開２００４−１１２１４８号公報
【発明の開示】
【発明が解決しようとする課題】
【０００８】
従来技術では、報知情報に含まれるセルのグループ単位に関するvalue-tag（例えば、PLMN value-tag）が、セルの移行元と移行先とで変わった場合に、移動通信端末は、該当する報知情報（例えば、ＳＩＢ１）を取得していた。移動体通信網のセル構成により、セルの移行元と移行先とで、各セル単位の共通情報には変更がないが、セルのグループ単位の共通情報のみが変更になる場合があり、その場合、セルのグループ単位に関するPLMN value-tagも変わる。
【０００９】
しかしながら、セルのグループ単位の共通情報を構成する複数の情報のうち、特定の情報のみが変わった場合にPLMN value-tagが変わらない場合がある。例えば、Ｗ−ＣＤＭＡシステムにおいては、以下のような場合がある。Ｗ−ＣＤＭＡシステムにおいては、セルのグループ単位の共通情報に係る報知情報であるＳＩＢ１は、ＮＡＳ（Non Access Stratum）システム情報、ＣＮ（CoreNetwork）ドメイン情報、及びIdle/Cell_DCH状態におけるタイマ・カウンタ値等により構成されている。しかしながら、セルの移行元と移行先とで、位置登録エリアを示す情報であるＣＮドメイン情報のみが異なり、その他の共通情報が同一の場合、PLMN value-tagが同一となってしまっていた。ここで、位置登録エリアとは、同一の位置登録によってカバーされるエリア（セルの集合）である。
【００１０】
これは、移動体通信網側において、複数のＲＮＣ（Radio Network Controller：無線ネットワーク制御装置）等の装置において報知情報の設定がなされることがあり、一意に管理できない場合があるためである。なお、上記には、ＲＮＣのベンダが異なる場合等も含まれる。更に、局データの設定誤りが原因となっている可能性もある。
【００１１】
移動通信端末は、移行先の候補のセルにおいて、報知情報に含まれるvalue-tagを取得し共通情報が変わっているかを判断する必要がある。しかしながら、上記のようにセルのグループ単位に関するPLMN value-tagが同一である場合には、セルのグループ単位に共通な報知情報（ＳＩＢ１）が異なっていることを移動通信端末において判断することができず、結果として、当該報知情報を取得することが出来なかった。
【００１２】
ところで、移動通信端末がセルを移動した際に、セルのグループ単位に共通な報知情報（ＳＩＢ１）に含まれるＣＮドメイン情報が異なることを検出した場合においては、位置登録を行う必要がある。しかしながら、移動通信端末がセルを移動した際に、セルのグループ単位に関するPLMN value-tagが同一である場合、上記のようにセルのグループ単位に共通な報知情報（ＳＩＢ１）が取得されないため、移動通信端末はＣＮドメイン情報の違いを判断することが出来なかった。そのため、位置登録が必要な場合においても位置登録を行わず、結果的に、該当セル配下で着信不可となる場合があった。
【００１３】
本発明は、以上の問題点を解決するためになされたものであり、上記のような移動体通信網で通信を行う移動通信端末に対して着信が不可となることを防止することができる移動通信端末及び端末制御方法を提供することを目的とする。
【課題を解決するための手段】
【００１４】
上記の目的を達成するために、本発明に係る移動通信端末は、自端末がセル移行することを検出するセル移行検出手段と、セル移行検出手段によりセル移行が検出されたときに、移行先のセルの報知情報のうち、当該セルの位置登録エリアを示す情報を含む、セルのグループ単位に共通な報知情報を受信する報知情報受信手段と、報知情報受信手段により受信された報知情報に含まれる位置登録エリアを示す情報に基づいて、移行先のセルにおいて位置登録を行うか判断する位置登録制御手段と、を備えることを特徴とする。
【００１５】
本発明に係る移動通信端末では、セル移行を契機として、ＣＮドメイン情報等のセルの位置登録エリアを示す情報を含む、セルのグループ単位に共通な報知情報が受信される。従って、セル移行の前後で位置登録エリアのみが異なるため報知情報の変更を判断する情報が異ならない場合であっても、セルの位置登録エリアを示す情報の違いを判断することが可能となる。この判断に基づいて、該当セルにて位置登録が行われることで、従来、着信が不可となっていたセルにおいても着信が可能となる。
【００１６】
報知情報受信手段により受信された報知情報を、当該報知情報が受信されたセルを特定するセル特定情報に対応付けて、移行先のセルにおいて位置登録及び通信の少なくとも何れかを行うために利用される情報として記憶する記憶手段を更に備え、報知情報受信手段は、移行先のセルを特定するセル特定情報を取得して、取得したセル特定情報が記憶手段により記憶された情報に含まれない場合に移行先のセルの報知情報を受信する、ことが望ましい。
【００１７】
この構成によれば、移動通信端末が受信したセルの報知情報がセル特定情報と対応付けられて記憶される。従って、既にセルの報知情報を受信し格納しているセルを行き来する場合には、移行先のセルにおいて位置登録及び通信の少なくとも何れかを行うために利用される情報として報知情報を受信することが不要となる。なお、ここでいう位置登録を行うために利用される情報には、上記の位置登録制御手段による判断に用いられる情報も含んでいてもよい。これにより、上記の報知情報を受信するためのデータ受信チャネルの使用が不要となり、移動通信端末における電力消費を低減することができる。
【００１８】
ところで、本発明は、上記のように移動通信端末の発明として記述できる他に、以下のように端末制御方法の発明としても記述することができる。これはカテゴリが異なるだけで、実質的に同一の発明であり、同様の作用及び効果を奏する。
【００１９】
即ち、本発明に係る端末制御方法は、移動通信端末における端末制御方法であって、自端末がセル移行することを検出するセル移行検出ステップと、セル移行検出ステップにおいてセル移行が検出されたときに、移行先のセルの報知情報のうち、当該セルの位置登録エリアを示す情報を含む、セルのグループ単位に共通な報知情報を受信する報知情報受信ステップと、報知情報受信ステップにおいて受信された報知情報に含まれる位置登録エリアを示す情報に基づいて、移行先のセルにおいて位置登録を行うか判断する位置登録制御ステップと、を含むことを特徴とする。
【発明の効果】
【００２０】
本発明では、セル移行の前後で位置登録エリアのみが異なるため報知情報の変更を判断する情報が異ならない場合であっても、セルの位置登録エリアを示す情報の違いを判断することが可能となる。これにより、本発明によれば、該当セルにて位置登録が行われることで、従来、着信が不可となっていたセルにおいても着信が可能となる。
【発明を実施するための最良の形態】
【００２１】
以下、図面とともに本発明に係る移動通信端末及び端末移行制御方法の好適な実施形態について詳細に説明する。なお、図面の説明においては同一要素には同一符号を付し、重複する説明を省略する。
【００２２】
以下に説明する本実施形態の構成及び動作説明の前提として、報知情報について説明する。報知情報は、複数のデータにより構成され、当該データ単位で基地局から送信されている。以下、報知情報の構成要素である個々のデータと、集合体としての区別を明確にするために、前者を「報知情報構成データ」と記し、後者を「報知情報」と記す。本実施形態では、主にＷ−ＣＤＭＡシステムを例として説明するが、Ｗ−ＣＤＭＡシステムでは、報知情報は、ＭＩＢ及びＳＩＢ１〜１６から構成されている。
【００２３】
図１に本実施形態に係る移動通信端末１０を含む移動通信システム１の全体構成、及び移動通信端末１０の構成を示す。移動通信端末１０は、具体的にはＷ−ＣＤＭＡシステムによる移動体通信を行うことができる携帯電話機に相当する。図１に示すように、移動通信システム１では、移動通信端末１０は、当該移動通信システム１に含まれる基地局２０の何れかと無線通信回線を介して相互に通信可能なように接続されることによって移動体通信を行う。基地局２０は、各基地局に応じたセルを通信エリアとする周知の基地局である。移動通信システム１には、複数の基地局２０が含まれる。
【００２４】
基地局２０からは、上述したように複数の報知情報構成データからなる報知情報（報知信号）が送信されている。報知情報構成データは、決められたスケジュールに則り、その種類に応じて一定間隔で周期的に送信されている。図２に報知情報構成データが送信されるスケジュールを示す。図２の横軸及び縦軸は、時間軸（単位はｍｓである）を示している。
【００２５】
Ｗ−ＣＤＭＡシステムでは、例えば、報知情報構成データのうちＭＩＢは、（基準となる時刻から）０ｍｓ後、８０ｍｓ後、１６０ｍｓ後及び２４０ｍｓ後等の８０ｍｓ間隔で送信される。また、ＭＩＢは、事業者コード、value-tag、各ＳＩＢの送信スケジュールを示すスケジュール情報等のデータを含む。value-tagは、報知情報構成データ（各ＳＩＢ）のデータ内容が変更されたか否かを判別する為のデータである。ＳＩＢ１のデータ内容が変更されたか否かを判別するためのvalue-tagはPLMN value-tagであり、ＳＩＢ２〜１６のデータ内容が変更されたか否かを判別するためのvalue-tagはCell value-tagである。value-tagは、セルの各報知情報構成データに応じて設定されており、セル移行の移行前と移行後とで、value-tagが異なれば、value-tagに対応する報知情報構成データがセル移行前と移行後とで異なると判断される。
【００２６】
報知情報構成データのうち、ＳＩＢ１はセルのグループ単位に共通な報知情報（構成データ）であり、セルの位置登録エリアを示す情報であるＣＮドメイン情報を含んでいる。ＣＮドメイン情報は、ＬＡＣ（Location Area Code）及びＲＡＣ（RoutingArea Code）で構成され、位置登録したエリアを識別する為に、各エリアに割り当てられたコードを示す。ＳＩＢ１は、（基準となる時刻から）３８０ｍｓ後、１６６０ｍｓ後等の１２８０ｍｓ間隔で送信される。
【００２７】
また、報知情報構成データのうちＳＩＢ２〜１６はセル単位の報知情報（構成データ）である。そのうちのＳＩＢ３は、例えば６４０ｍｓ等の一定間隔で送信され、Cell IDを含む。Cell IDは、報知情報が送信されるセルを識別する為に、各セルに割り当てられたデータである。各ＳＩＢ２〜１６は、移動通信端末１０がセルにおいて位置登録や通信を行うための情報を含んでいる。
【００２８】
移動通信端末１０がセル移行する場合には、通常、移動通信端末１０では、まず、報知情報構成データのうちＭＩＢが受信されて、ＭＩＢに含まれる各ＳＩＢのデータ内容が変更されたか否かを判別する情報が参照されて、必要に応じたＳＩＢが受信される。
【００２９】
引き続いて、移動通信端末１０の詳細な構成について説明する。図１に示すように、移動通信端末１０は、機能的な構成要素として、送受信部１１と、制御部１２と、記憶部１３とを備えて構成されている。
【００３０】
送受信部１１は、アンテナに接続されており、基地局２０との間で移動体通信用の電波を送受信する手段である。送受信部１１は、通信データと電波との間の変換等も行う。
【００３１】
制御部１２は、送受信部１１と記憶部１３とに接続されており、移動通信端末１０の移動体通信の機能を制御して実行する手段である。移動通信端末１０において、制御部１２によって制御される移動体通信の機能としてセル移行と位置登録とがある。セル移行の処理とは、移動通信端末１０が通信相手となる基地局２０を切り替えた結果、移動通信端末１０が使用するセルが変更することを指す。基地局２０の切替えには、別体として構成された基地局２０への切替えのみならず、同一の基地局２０との通信における通信方式（使用周波数帯域、変復調方式及び符復号化方式等）の切替えを含む。
【００３２】
また、位置登録の処理とは、報知情報（ＳＩＢ１）に含まれるＣＮドメイン情報（ＬＡＣ，ＲＡＣ）を移動通信端末１０が移動体通信網に通知することを指す。移動通信端末１０は、電源が入れられた直後、及びセルの移行処理後のセルにおけるＣＮドメイン情報がセル移行前のものと異なる場合に移動体通信網に上記の通知を行う。
【００３３】
また、制御部１２は、本発明に係る構成要素として、セル移行検出部１２ａと、報知情報受信部１２ｂと、位置登録制御部１２ｃとを含んで構成される。
【００３４】
セル移行検出部１２ａは、自端末１０がセル移行することを検出するセル移行検出手段である。セル移行検出部１２ａは、制御部１２の動作を監視することにより、セル移行が行われることを検出する。セル移行検出部１２ａは、自端末１０がセル移行することを検出するとその旨を報知情報受信部１２ｂに通知する。
【００３５】
報知情報受信部１２ｂは、セル移行先のセル（移行先と選定されたセル）の報知情報を受信する手段である。即ち、報知情報受信部１２ｂは、セル移行検出部１２ａによりセル移行が検出されたときに、移行先のセルの報知情報のうち少なくともＳＩＢ１を受信する報知情報受信手段である。なお、報知情報の受信は送受信部１１を介して行われる。報知情報受信部１２ｂは、受信したＳＩＢ１を位置登録制御部１２ｃに出力する。なお、従来の移動通信端末では、ＳＩＢ１は、ＭＩＢに含まれるPLMN value-tagがセル移行前と移行後とで異なっていなければ受信されない。また、ＳＩＢ１以外の報知情報は、移行先セルにおける位置登録及び通信を行うための情報として、制御部１２によって利用される。
【００３６】
また、報知情報受信部１２ｂは、受信した報知情報を当該報知情報が受信された（移行先の）セルを特定するセル特定情報に対応付けて記憶部１３に出力する。報知情報受信部１２ｂは、セル移行検出部１２ａによりセル移行が検出されたときに、後述するように、移行先のセルを特定するセル特定情報を取得して、取得したセル特定情報が記憶部１３により記憶された情報に含まれない場合のみに報知情報を受信することとしてもよい。その場合、報知情報受信部１２ｂは、セル特定情報を位置登録制御部１２ｃに出力する。
【００３７】
ここでセルを特定するセル特定情報としては、スクランブリングコード、及びCell value-tag及びCell IDが相当する。ここで、スクランブリングコードは、セルを構成するセクタの識別コードであり、基地局２０から受信することにより取得することができる。また、上述したように、Cell value-tagは報知情報のうちのＭＩＢから、CellIDはＳＩＢ３から、それぞれ取得することができる。
【００３８】
位置登録制御部１２ｃは、自端末１０の移動体通信網に対する位置登録を制御する手段である。具体的には、位置登録制御部１２ｃは、報知情報受信部１２ｂにより受信されたＳＩＢ１に含まれるＣＮドメイン情報に基づいて、移行先のセルにおいて位置登録を行うか判断する位置登録制御手段である。この判断は、報知情報受信部１２ｂにより受信されたＳＩＢ１に含まれるＣＮドメイン情報が移行前のセルにおけるＣＮドメイン情報と一致していた場合には位置登録を行わないと判断し、移行前のセルにおけるＣＮドメイン情報と一致していなかった場合には位置登録を行うと判断する。位置登録制御部１２ｃは、上記の判断を行うために在圏しているセルのＣＮドメイン情報を保持しておく。
【００３９】
また、位置登録制御部１２ｃは、セル移行検出部１２ａによりセル移行が検出されたが上述したように報知情報受信部１２ｂによってＳＩＢ１が受信されなかった場合には、報知情報受信部１２ｂにより取得されたセル特定情報が対応付けられた、記憶部１３により記憶されたＳＩＢ１に含まれるＣＮドメイン情報に基づいて、位置登録を行うか判断する。報知情報受信部１２ｂは、位置登録を行うと判断した場合は、制御部１２に位置登録の処理を行うように指示し、制御部１２によって位置登録が行われる。
【００４０】
記憶部１３は、報知情報受信部１２ｂから入力された報知情報（報知情報構成データ）を、当該報知情報が受信されたセルのセル特定情報に対応付けて記憶する記憶手段である。ここで、当該報知情報（報知情報構成データ）は、当該セルにおいて制御部１２によって位置登録及び通信を行うために用いられる情報であり、具体的にはＳＩＢ１〜ＳＩＢ１６に相当する。但し、記憶部１３に記憶される報知情報構成データは、必ずしも位置登録及び通信の両方に用いられる必要はなく、何れか一方に用いられてもよい。また、記憶部１３に記憶される報知情報構成データには、位置登録制御部１２ｃによる位置登録の判断に用いられる情報（ＣＮドメイン情報を含むＳＩＢ１）も含まれていてもよい。
【００４１】
記憶部１３は、セル特定情報をセル情報格納テーブル１３ａに、報知情報を報知情報格納領域１３ｂに格納する。図３に、セル情報格納テーブル１３ａの例を示す。図３に示すように、セル情報格納テーブル１３ａは、スクランブリングコード格納領域１３１、value-tag格納領域１３２及びCell ID格納領域１３３を備え、報知情報受信部１２ｂから入力されたセル特定情報であるスクランブリングコード、Cell value-tag及びCell IDの各データを対応付けて格納する。なお、図３のデータの例は、後述する図７に示したセルの構成の一例において、左側の４つのセル３０ａ〜３０ｄに対するセル特定情報を格納している状態を示している。また、報知情報格納領域１３ｂは、スクランブリングコード、Cell value-tag及びCell IDと対応付けて、ＳＩＢ１〜１６の報知情報構成データを格納する領域を有する。即ち、報知情報格納領域１３ｂは、報知情報構成データをセル特定情報に基づいて取得できるように格納しておく。以上が、本実施形態に係る移動通信端末１０の機能構成である。
【００４２】
図４に本実施形態に係る移動通信端末１０のハードウェア構成を示す。図４に示すように、移動通信端末１０は、ＣＰＵ（Central Processing Unit）１０１、ＲＡＭ（Random Access Memory）１０２、ＲＯＭ(Read OnlyMemory)１０３、操作部１０４、無線通信部１０５、ディスプレイ１０６及びアンテナ１０７等のハードウェアにより構成されている。また、移動通信端末１０は、携帯電話機として機能するための音声処理部やスピーカ、マイクといった、図示しない構成要素を有している。これらの構成要素は、バスを介して各種信号の入出力が可能なように接続されている。これらの構成要素が動作することにより、上述した機能が発揮される。
【００４３】
引き続いて、図５のフローチャートを用いて、本実施形態の移動通信端末１０で実行される処理（端末制御方法）を説明する。この処理は、移動通信端末１０を携帯するユーザが移動する等によって、移動通信端末１０がセル移行を行う場合に行われる。
【００４４】
まず、移動通信端末１０では、制御部１２によって、基地局２０から送信される報知情報に係る電波の受信レベルが計測され、当該受信レベルに基づいて移行先候補のセルが選定される。この際、セル移行検出部１２ａによってセル移行が行われることが検出される（Ｓ１１、セル移行検出ステップ）。セル移行が行われる旨はセル移行検出部１２ａから報知情報受信部１２ｂに通知される。
【００４５】
続いて、報知情報受信部１２ｂによって、スクランブリングコードが取得される（Ｓ１２）。スクランブリングコードの取得は、制御部１２によって選定したセルを通信エリアとする基地局２０からスクランブリングコードが受信され、受信されたスクランブリングコードが制御部１２から報知情報受信部１２ｂに出力されることにより行われる。続いて、報知情報受信部１２ｂによって、当該スクランブリングコードと同一のスクランブリングコードが記憶部１３のセル情報格納テーブル１３ａに格納されているか判定される（Ｓ１３）。
【００４６】
同一のスクランブリングコードが格納されていた場合、報知情報受信部１２ｂによって、選定したセルを通信エリアとする基地局２０からＭＩＢが受信される（Ｓ１４）。一方、同一のスクランブリングコードが格納されていない場合には、後述するＳ２４以降の処理に移行する。
【００４７】
ＭＩＢが報知情報受信部１２ｂに受信された後、報知情報受信部１２ｂによって当該ＭＩＢからCell value-tagが抽出され取得される。続いて、報知情報受信部１２ｂによって、取得されたCell value-tagと同一のCellvalue-tagが記憶部１３のセル情報格納テーブル１３ａに格納されているか判定される（Ｓ１５）。
【００４８】
同一のCell value-tagが格納されていた場合、報知情報受信部１２ｂによって、選定したセルを通信エリアとする基地局２０からＳＩＢ３が受信される（Ｓ１６）。一方、同一のCell value-tagが格納されていない場合には、後述するＳ２４以降の処理に移行する。なお、この時点でＳ２４において取得すべきＳＩＢ１を同時に受信しておいてもよい。Ｓ２４における報知情報構成データの受信の際の消費電力を極力抑えるためである。
【００４９】
ＳＩＢ３が報知情報受信部１２ｂに受信された後、報知情報受信部１２ｂによって当該ＳＩＢ３からCell IDが抽出され取得される。続いて、報知情報受信部１２ｂによって、取得されたCell IDと同一のCell IDが記憶部１３のセル情報格納テーブル１３ａに格納されているか判定される（Ｓ１７）。
【００５０】
同一のCell IDが格納されていた場合は、報知情報受信部１２ｂによって、Ｓ１１において選定されたセルの報知情報（構成データ）として、報知情報格納領域１３ｂに格納されているＳＩＢ１〜１６の報知情報構成データを用いることができると判断される。即ち、報知情報受信部１２ｂによって、移行先のセルのセル特定情報が記憶部１３に記憶された情報に含まれる場合は、記憶部１３に記憶された報知情報（構成データ）を用いることとし、上記以外の移行先のセルの報知情報は受信されない。
【００５１】
その場合、位置登録制御部１２ｃによって、記憶部１３に記憶されているＳＩＢ１、又は報知情報受信部１２ｂよって受信されたＳＩＢ１（Ｓ１６においてＳＩＢ１が受信された場合）が取得される。また、制御部１２によって、移行先として選定されたセルにおいて位置登録及び通信を行うための報知情報構成データとして、記憶部１３に記憶されている報知情報構成データである各ＳＩＢが取得される（Ｓ１８）。記憶部１３に記憶されている各ＳＩＢが取得される場合は、上記の各セル特定情報に基づいて、各セル特定情報により特定されるセルに係る各ＳＩＢが取得される。なお、制御部１２により利用される各ＳＩＢの一部は、報知情報受信部１２ｂよって受信されたＳＩＢを用いることとしてもよい。
【００５２】
一方で、同一のCell IDが格納されていない場合は、下記のＳ２４の処理に移行する。上記のように、各セル特定情報の何れかが記憶部１３のセル情報格納テーブル１３ａに格納されていないと判定された場合は、報知情報受信部１２ｂによって受信されていない報知情報構成データが受信される（Ｓ２４、報知情報受信ステップ）。ここで、受信される報知情報構成データには、セルのグループ単位に共通な報知情報構成データであるＳＩＢ１が含まれる。即ち、移動通信端末１０では、セル移行が検出されると、ＣＮドメイン情報を含む、セルのグループ単位に共通な報知情報構成データであるＳＩＢ１が受信される。なお、Ｓ１７で既にＳＩＢ１が受信されている場合には、改めてＳＩＢ１は受信されない（その場合、Ｓ１７が報知情報受信ステップとなる）。
【００５３】
続いて、報知情報受信部１２ｂによって受信された報知情報が、当該報知情報が受信されたセルを特定するセル特定情報に対応付けて記憶部１３に出力されて、記憶部１３により記憶される（Ｓ２５、記憶ステップ）。また、これに併せて報知情報受信部１２ｂから位置登録制御部１２ｃに受信されたＳＩＢ１が出力される。また、報知情報受信部１２ｂから制御部１２に、移行先として選定されたセルにおいて位置登録及び通信を行うための報知情報構成データとして、受信された各ＳＩＢが出力される。
【００５４】
続いて、以下に、記憶部１３によってセル特定情報及び報知情報が記憶される処理（Ｓ２５）を図６のフローチャートを用いて、より詳細に説明する。まず、記憶部１３におけるセル情報格納テーブル１３ａのスクランブリングコード格納領域１３１に、Ｓ１２において受信されたスクランブリングコードが格納される（Ｓ２５１、記憶ステップ）。続いて、記憶部１３におけるセル情報格納テーブル１３ａのvalue-tag格納領域１３２に、Ｓ１４において受信されたＭＩＢから抽出されたCell value-tagが上記のスクランブリングコードに対応付けられて格納される（Ｓ２５２、記憶ステップ）。
【００５５】
続いて、記憶部１３におけるセル情報格納テーブル１３ａのCell ID格納領域１３３に、Ｓ１６において受信されたＳＩＢ３から抽出されたCell IDが上記のスクランブリングコード及びCell value-tagに対応付けられて格納される（Ｓ２５３、記憶ステップ）。続いて、記憶部１３における報知情報格納領域１３ｂに、Ｓ２４において受信された報知情報構成データである各ＳＩＢが、セル情報格納テーブル１３ａに格納されたスクランブリングコード、Cell value-tag及びCell IDに対応付けられて格納される（Ｓ２５４、記憶ステップ）。また、報知情報格納領域１３ｂに格納されるＳＩＢには、ＳＩＢ１が含まれることとしてもよい。
【００５６】
続いて、図５に戻り全体の処理を説明する。Ｓ１８又はＳ２５の処理が完了した時点で、位置登録制御部１２ｃにはＳＩＢ１が取得されている。ここで、位置登録制御部１２ｃによって、取得されたＳＩＢ１に含まれるＣＮドメイン情報に基づいて、移行先として選定されたセルにおいて位置登録を行うかが判断される（Ｓ１９、位置登録制御ステップ）。上述したように、取得されたＳＩＢ１に含まれるＣＮドメイン情報が移行前のセルにおけるＣＮドメイン情報と一致していた場合には位置登録を行わないと判断し、現在在圏している（移行前の）セルにおけるＣＮドメイン情報と一致していなかった場合には位置登録を行うと判断する。また、このとき、移行先のセルのＣＮドメイン情報が、次の判断のために位置登録制御部１２ｃによって記憶される。
【００５７】
位置登録を行うと判断された場合は、位置登録制御部１２ｃによって、セル移行後位置登録が必要である旨が制御部１２において記憶される（Ｓ２０）。一方、位置登録を行わないと判断された場合は、上記の記憶の処理（Ｓ２０）は行われない。続いて、制御部１２によって、移行先として選定されたセルへのセル移行が行われる（Ｓ２１）。このセル移行処理は、Ｓ１８あるいはＳ２５において制御部１２によって取得された報知情報構成データの情報に従って行われる。
【００５８】
続いて、位置登録が必要であるか否かが、制御部１２によって判断される（Ｓ２２）。この判断は、位置登録が必要である旨が制御部１２に記憶されているかどうかにより行われる。Ｓ２０において位置登録が必要である旨が制御部１２に記憶されていた場合、制御部１２により位置登録処理が行われる（Ｓ２３）。この位置登録処理は、Ｓ１８あるいはＳ２５において制御部１２によって取得された報知情報構成データの情報に従って行われる。一方、位置登録が必要である旨が制御部１２に記憶されていなかった場合、位置登録処理（Ｓ２３）は行われない。
【００５９】
その後、移動通信端末１０では、制御部１２等の機能によりセル移行後のセルにおいて通信が行われる。この通信は、Ｓ１８あるいはＳ２５において制御部１２によって取得された報知情報構成データの情報に従って行われる。続いて、移動通信端末１０においては、移行先候補のセルを選定する処理（Ｓ１１）に再び戻り、それ以降の処理が繰り返し実行される。以上が、本実施形態に係る移動通信端末１０で実行される一連の処理である。
【００６０】
ここで、図７に示すセル構成及びセルに係る情報の構成と併せて、本実施形態に係る移動通信端末１０で実行される処理、及び従来の移動通信端末との比較について説明する。図７に模式的に示すように、各セル３０（セル３０ａ〜３０ｇの総称）は、セルのグループ４０（グループ４０ａ，４０ｂの総称）に含まれている。移動通信端末が、同一のグループ４０ａのセル３０ａからセル３０ｂにセル移行した場合、セル３０ａとセル３０ｂとでは、ＣＮドメイン情報がそれぞれ“＃１”と“＃１０”とで異なっているため、セル３０ｂで位置登録を行うことが必要となる。
【００６１】
本実施形態に係る移動通信端末１０では、セル移行が契機となって、ＣＮドメイン情報を含むＳＩＢ１が取得されるため、セル移行前からＣＮドメイン情報が異なっていることを認識することができ、セル移行後に位置登録が行われる。
【００６２】
一方、従来の移動通信端末では、ＳＩＢ１を受信するか否かは、ＭＩＢに含まれるPLMN value-tagがセル移行前後で異なっているかどうかで判断される。ところが、PLMN value-tagは、グループ４０ａでは“α”で異ならないため（変更されないため）、従来の移動通信端末ではＳＩＢ１が受信されない。従って、従来の移動通信端末では、セル移行後にＣＮドメイン情報がセル移行前から異なっていることを認識できず、それゆえに位置登録も行われない。位置登録が行われないと、当該移動通信端末に対しての着信があった場合、着信不可となるという問題があった。
【００６３】
上述したように本実施形態に係る移動通信端末１０では、セル移行を契機として、ＣＮドメイン情報を含む、セルのグループ単位に共通な報知情報構成データであるＳＩＢ１が受信される。従って、セル移行の前後でＣＮドメイン情報のみが異なるためPLMN value-tagが異ならない場合であっても、ＣＮドメイン情報の違いを判断することが可能となる。これにより、本実施形態に係る移動通信端末１０では、該当セルにて位置登録を行うことで、従来着信が不可となっていたセルにおいても着信が可能となる。
【００６４】
また、本実施形態のように、移動通信端末１０において、受信されたセルの報知情報構成データであるＳＩＢ１〜１６がセル特定情報と対応付けられて記憶部１３に記憶されることが望ましい。これにより、既にセルの報知情報を受信し格納しているセルを行き来する場合には、移行先のセルにおいて位置登録及び通信の少なくとも何れかを行うために利用される情報として報知情報を受信することが不要となる。これにより、移動通信端末１０では、報知情報を受信するためのデータ受信チャネルの使用が不要となり、移動通信端末１０における電力消費を低減することができる。なお、報知情報構成データであるＳＩＢ１〜１６は全て移動通信端末１０に記憶されることが望ましいが、必ずしも全てのＳＩＢ１〜１６が記憶される必要はない。例えば、本実施形態に係る移動通信端末１０において、セル移行したときに必ず受信されるＳＩＢ３は記憶しておく必要はない。また、記憶部１３自体も必ずしも移動通信端末１０に備えられている必要はない。
【００６５】
なお、本実施形態は、移動通信端末１０は、携帯電話機としたが、それ以外でも移動体通信を行うことができる端末、例えば、移動体通信機能を備えたＰＣ（Personal Computer）やＰＤＡ（PersonalDigital Assistance）でもよい。また、本実施形態では、移動体通信の方式はＷ−ＣＤＭＡとしたが、報知情報の構成等が本実施形態に類するものであれば、必ずしもＷ−ＣＤＭＡでなくてもよい。
【図面の簡単な説明】
【００６６】
【図１】本発明の実施形態に係る移動通信端末の構成を示す図である。
【図２】基地局から送信される報知情報の構成及び送信されるタイミングを示す図である。
【図３】移動通信端末における記憶部のセル情報格納テーブルを示す図である。
【図４】本発明の実施形態に係る移動通信端末のハードウェア構成を示す図である。
【図５】本発明の実施形態に係る移動通信端末で実行される処理（端末制御方法）を示すフローチャートである。
【図６】記憶部が報知情報及びセル特定情報を記憶する処理を示すフローチャートである。
【図７】セル及びセルに係る情報の構成の例を示す図である。
【符号の説明】
【００６７】
１…移動通信システム、１０…移動通信端末、１１…送受信部、１２…制御部、１２ａ…セル移行検出部、１２ｂ…報知情報受信部、１２ｃ…位置登録制御部、１３…記憶部、１３ａ…セル情報格納テーブル、１３１…スクランブリングコード格納領域、１３２…value-tag格納領域、１３３…Cell ID格納領域、１３ｂ…報知情報格納領域、１０１…ＣＰＵ、１０２…ＲＡＭ、１０３…ＲＯＭ、１０４…操作部、１０５…無線通信部、１０６…ディスプレイ、１０７…アンテナ、２０…基地局。
【図１】
2008259057.tif 000003
【図２】
2008259057.tif 000004
【図３】
2008259057.tif 000005
【図４】
2008259057.tif 000006
【図５】
2008259057.tif 000007
【図６】
2008259057.tif 000008
【図７】
2008259057.tif 000009